(57)【要約】【課題】  遊技機の裏面に装着される基板ボックスの前後方向の配置スペースを縮減する上で有効な技術を提供する。【解決手段】  回路基板を収容する基板ボックスが裏面側に複数個装着される遊技機において、当該複数の基板ボックス１２１，１２３を、遊技盤の前後方向に重ねて装着した。【選択図】  図２
2005305133.tif 000002
【特許請求の範囲】
【請求項１】
回路基板を収容する基板ボックスが裏面側に複数個装着される遊技機において、
当該複数の基板ボックスを、遊技機の前後方向に重ねて装着することを特徴とする遊技機。
【発明の詳細な説明】
【技術分野】
【０００１】
本発明は、パチンコ機、アレンジボール機等の遊技機における基板ボックスの構築技術に関する。
【背景技術】
【０００２】
従来、パチンコ機には、遊技全体を制御する主制御基板、当該主制御基板からの信号に基づいて音声装置およびランプ装置を駆動制御する副制御基板、あるいは払出装置を駆動制御するのに用いられる払出制御基板等の各種の制御基板が設けられ、それらの各制御基板の多くは、それぞれが例えば、透明な合成樹脂製の基板ボックスに収容された状態でパチンコ機の裏面側に配置されている。なお制御基板以外の回路基板が基板ボックスに収納される場合もある。パチンコ機には、制御基板を初め様々な種類の回路基板が用いられているが、パチンコ機の裏面側に多くの基板ボックスを配置し得るスペースには限界がある。このため、従来、複数の基板ボックスを前後に重ね合わせて装着することで配置スペースを稼ぐ構成が知られる。このような配置に関する技術は、例えば特開２００１−２５２４４８号公報（特許文献１）に開示されている。
【０００３】
ところで、パチンコ機を島設備に設置するに際しては、パチンコ機の裏面方向（奥行き方向）への突出量を可能な限り減少させたいという要求がある。しかしながら、基板ボックスを前後に重ね合わせて装着する従来の構成では、上記の要望に対し必ずしも十分な対応とは言えず、かかる点において、なお改良の余地がある。
【特許文献１】特開２００１−２５２４４８号公報
【発明の開示】
【発明が解決しようとする課題】
【０００４】
本発明は、かかる点に鑑みてなされたものであり、遊技機の裏面側に装着される基板ボックスの前後方向の配置スペースを縮減する上で有効な技術を提供することを目的とする。
【課題を解決するための手段】
【０００５】
上記課題を達成するため、特許請求の範囲の請求項記載の発明が構成される。
請求項１に記載の発明によれば、回路基板を収容するための基板ボックスが裏面側に装着されている遊技機が構成される。なお遊技機としては、典型的にはパチンコ機やアレンジボール機等がこれに該当する。本発明においては、遊技機の裏面側に、複数の基板ボックスを遊技機の前後方向に重ねて装着する構成とした。
【発明の効果】
【０００６】
本発明によれば、遊技機の裏面側に配置される基板ボックスの前後方向の配置スペースを効果的に縮減することができる。
【発明を実施するための最良の形態】
【０００７】
以下、本発明の実施の形態に係るパチンコ機につき図面を参照しつつ詳細に説明する。なお、説明の便宜上、遊技機において遊技者側を前、反対側を後として説明する。図１はパチンコ機１００の全体を示す斜視図である。パチンコ機１００は、本発明における「遊技機」の一例である。図１に示すように、パチンコ機１００は、概括的には、外枠１０１と、本体枠１０３と、遊技盤１０５と、ガラス枠１０７と、前板１０９からなる。本体枠１０３はパチンコ機１００の前方から見て左側縁部がヒンジを介して外枠１０１に開閉自在に取り付けられる。遊技盤１０５は本体枠１０３に前方から嵌め込まれた状態で取り付けられる。
【０００８】
図２および図３はそれぞれ遊技盤１０５の裏面側を示す斜視図である。図２に示すように、遊技盤１０５の裏面側における下縁領域には、遊技全体を制御する主制御基板を収容する主制御基板ボックス１２１と、当該主制御基板からの信号に基づいて表示装置（図示省略）、音声装置ないしランプ装置を駆動制御するための副制御基板を収容する副制御基板ボックス１２３が、主制御基板ボックス１２１を後側にして前後に重ね合わせた状態で装着されている。図３では主制御基板ボックス１２１が取り外された状態が示されている。
【０００９】
図２および図３に示すように、遊技盤１０５の裏面にはボックス取付台１５１がネジ等によって止着され、当該ボックス取付台１５１の後面に副制御基板ボックス１２３が重ね合わせた状態で取り付けられる。なお副制御基板ボックス１２３のボックス取付台１５１に対する取り付けは、一端側（パチンコ機１００の裏面側から見て左側縁部）がヒンジ機構１２５を介して回動自在に取り付けられるとともに、他端側（右側縁部）が図示省略の爪部材と係止部材の弾性変形を用いた係止構造を介して係脱自在に係止される。
一方、主制御基板ボックス１２１は、図２に示すように、副制御基板ボックス１２３の後面に重ね合わせた状態で、一端側（パチンコ機１００の裏面側から見て左側縁部）がヒンジ機構１２７を介して副制御基板ボックス１２３に回動自在に取り付けられ、他端側（右側縁部）が図示省略の爪部材と係止部材の弾性変形を用いた係止構造を介して副制御基板ボックス１２３に係脱自在に係止される。
【００１０】
図２に示すように、主制御基板ボックス１２１は、副制御基板ボックス１２３に対しパチンコ機１００の裏面側から見て少し右側にずらした状態で配置されており、これによって副制御基板ボックス１２３の左側縁部の後面領域が露出されている。そして副制御基板ボックス１２３の露出領域には、音量調整用のダイヤル（摘み）１２９が配置されており、当該ダイヤル１２９を回すことによって、スピーカーから出力される音量を連続的に調整することが可能とされる。
【００１１】
次に副制御基板ボックス１２３の構造につき図４〜図８を参照して説明する。図４は副制御基板ボックス１２３を後側から見た斜視図であり、図５は副制御基板ボックス１２３を前側から見た斜視図であり、図６は副制御基板ボックス１２３の断面図である。また図７はアンプ基板１３９を示す正面図、図８は遊技盤１０５に取り付けられた状態の副制御基板ボックス１２３を示す縦断面図である。
図６に示すように、副制御基板ボックス１２３は、パチンコ機１００の裏面側から見て長方形状に形成された１つのボックス本体１３１と、ボックス本体１３１の後面側に配置される後側基板カバー１３３と、ボックス本体１３１の前面側に配置される前側基板カバー１３５とから構成されている。上記の副制御基板ボックス１２３が本発明における「基板ボックス」に対応する。またボックス本体１３１が本発明における「ベース部材」に対応し、後側基板カバー１３３が本発明における「第１のカバー部材」に対応し、前側基板カバー１３５が本発明における「第２のカバー部材」に対応する。
【００１２】
後側基板カバー１３３は、ボックス本体１３１の後面形状と概ね同形状のボックス状に形成され、他方、前側基板カバー１３５は、ボックス本体１３１の前面形状の一部（下部側）の領域を占める横長のボックス状に形成されている。すなわち、後側基板カバー１３３は、ボックス本体１３１の後面全体を覆うように配置され、前側基板カバー１３５は、ボックス本体１３１の前面下部を覆うように配置される。かくして、副制御基板ボックス１２３は、図５あるいは図６に示すように、パチンコ機１００の側方から見た側面視において全体の外観形状が略Ｌ形をなすように形成されている。なお特に図示はしないが、後側基板カバー１３３および前側基板カバー１３５は、それぞれがボックス本体１３１に対し爪部材と係止部材との弾性変形を用いた係止構造あるいはネジ等の止着手段を介して着脱自在に止着される構成とされる。
【００１３】
図６に示すように、後側基板カバー１３３内には、６層から成るプリント基板に各回路部品が実装され、表示装置、音声装置およびランプ装置の制御に用いられる副制御基板１３７が収容される。前側基板カバー１３５内には、２層から成るプリント基板に各回路部品が実装され、信号の増幅に用いられるアンプ基板１３９が収容される。アンプ基板１３９は、アンプ回路が設定された面を後向きにして前側基板カバー１３５内へと嵌め込まれ、当該前側基板カバー１３５内の前壁１３５ａの各隅に設定された４個のボス部１３５ｂのうち、対角線上の２個のボス部１３５ｂに設けた位置決めピン１３５ｃによって位置決めされ、他の２個のボス部１３５ｂにネジ１３５ｄによって止着されている。上記の副制御基板１３７が本発明における「第１の回路基板」に対応し、アンプ基板１３９が本発明における「第２の回路基板」に対応する。なお図６には、アンプ基板１３９に形成される回路部品１３９ａが二点鎖線によって示され、また図７にはアンプ基板１３９の取り付けに用いられる位置決め用のピン孔１３５ｅと、ネジ止用のネジ通し孔１３５ｆが示されている。
【００１４】
副制御基板１３７は、表示装置を制御するための表示制御用回路、音声装置を制御するための音声制御用回路、およびランプ装置を制御するためのランプ制御回路を有し、当該回路の部品実装面側を後ろに向けた状態でボックス本体１３１内に嵌め込まれる。なお図６では、回路部品についてはその図示が省略されている。ボックス本体１３１は、概ね矩形の平面部の周縁部に後側に向って起立するフランジ部１３１ａを備えた浅底の皿形に形成されており、当該フランジ部１３１ａの内周には、一部を除いて基板取付用の段差面１３１ｂが設定されている。そしてボックス本体１３１内に嵌め込まれた副制御基板１３７は、フランジ部１３１ａの段差面１３１ｂに周縁部を突き当てられた状態で、フランジ部１３１ａの内周に嵌め込まれる後側基板カバー１３３の前端縁によって周縁部が段差面１３１ｂに押さえ込まれる。すなわち、副制御基板１３７は、ボックス本体１３１の段差面１３１ｂと、当該ボックス本体１３１に取り付けられる後側基板カバー１３３の前端縁によって前後方向から挟持された状態で収容保持される。なお副制御基板１３７に設けられるダイヤル１２９やコネクタ接続部１３７ａについては、図４あるいは図６に示すように、後側基板カバー１３３の外側に露出するように設定される。
【００１５】
ボックス本体１３１内に配置された副制御基板１３７と、前側基板カバー１３５内に配置されたアンプ基板１３９は、ボックス本体１３１に後側基板カバー１３３を取り付ける前の段階で、電線１４１によって接続されるが、当該電線１４１の接続作業は、ボックス本体１３１に設けた作業用の開口部１３１ｃを通して行うことができる。なおボックス本体１３１および前後の基板カバー１３３，１３５は、内部を透視できるように、それぞれが透明あるいは半透明の合成樹脂（例えば、ポリカーボネート）で形成されている。
上記のように構成された副制御基板ボックス１２３は、図８に示すように、ボックス本体１３１の前面が遊技盤１０５の裏面に対し所定の空間Ｓを有するように、当該遊技盤１０１の裏面下部領域にボックス取付台１５１を介して配置される。このとき、前側基板カバー１３９が空間部における下方領域（ボックス本体１３１の前面下部）に位置するように配置される。
【００１６】
上記のように、本実施の形態にかかる副制御基板ボックス１２３においては、１つのボックス本体１３１が、当該ボックス本体１３１を挟んで前後に配置される後側基板カバー１３３と前側基板カバー１３５の共通部材として構成されている。このため、２つの制御基板ボックスを単純に前後に重ね合わせて配置する従来の構成に比べて、実質的にボックス本体を１つ分減少することが可能となる。その結果、副制御基板１３７とアンプ基板１３９とを前後２段に収容する構成でありながら、副制御基板ボックス１２３が前後方向につきコンパクト化される。これによって副制御基板ボックス１２３を遊技盤の裏面に装着した状態において、２つの制御基板ボックスを前後に重ね合わせて配置する従来の構成に比べて、前後方向の配置スペースを縮減することができるとともに、２つの制御基板ボックスを前後に重ね合わせて配置する構成では必要なボックス相互間の係止構造が不要となる。なお本実施の形態では、副制御基板ボックス１２３の後面にさらに主制御基板ボックス１２１を重ね合わせて配置した場合が示されているが、主制御基板を含め、基板が前後３段に配置される構成であるにも拘わらず、遊技盤１０５の裏面からの後方への突出量が抑えられている。
【００１７】
また、本実施の形態に係る副制御基板ボックス１２３においては、前後の基板カバー１３５，１３３につきボックス本体１３１を共通部材として用いる構成としたことによって、部品点数が少なく、構造も簡単となる。その結果、コストが低減されるとともに、組み付け工数も減少でき、更には廃棄部材が少なくリサイクルが容易になる。またボックス本体１３１および前後の基板カバー１３５，１３３を同じ材料で成形してあり、このため、リサイクルがより容易となる。
【００１８】
本実施の形態においては、従来、別体であった、音声装置およびランプ装置の制御に用いられている副制御基板と、表示装置の制御に用いられている表示制御基板を、副制御基板１３７として１枚の制御基板にまとめた（一体化）構成とする一方、副制御基板に包含されていたアンプ回路につき、これをアンプ基板１３９として独立した１枚の基板としたものである。これによって表示、音声およびランプ制御につき１枚の副制御基板１３７にまとめた構成でありながら、当該副制御基板１３７の上下および左右方向（基板自体の平面方向）の広がりを極力抑え、所定の配置スペース内に配置することを可能としている。また表示制御回路を構成するには、６層から成るプリント基板が必要とされるが、回路構成が単純なアンプ回路については調達コストの安価な２層構造で済むため、アンプ基板として別体構造とすることによって、副制御基板１３７をアンプ回路をも含めた一枚物で形成する場合に比べてコストを低減することができる。
【００１９】
また副制御基板１３７とアンプ基板１３９とをつなぐ電線１４１は、ボックス本体１３１に形成された開口部１３１ｃを通して前後の基板カバー１３３，１３５内に配置されている。このため、副制御基板ボックス１２３内において、電線１４１の取り回しを行うことができるとともに、電線１４１がボックス内に配置されることから、電線１４１を保護する上で有効となる。なおボックス本体１３１の開口部１３１ｃを、アンプ基板１３９が通り抜けることが可能な大きさに設定したときは、当該開口部１３１ｃを通してアンプ基板１３７を前側基板カバー１３５内に収容し固定することが可能となる。従って、そのときは、ボックス本体１３１と前側カバー１３５とを一体に成形してもよい。
【００２０】
また副制御基板ボックス１２３においては、図８に示すように、ボックス本体１３１を遊技盤１０５の裏面に対しボックス取付台１５１を介して所定の空間Ｓを設けた状態で支持する構成とし、そして当該空間の下寄り位置（すなわち、ボックス本体１３１の前面下部側）に前側基板カバー１３９を配置する構成としている。このため、遊技盤１０５の裏面とボックス本体１３１間に形成される空間Ｓのうち、前側基板カバー１３９の配置スペース以外のスペースＳを別部品、例えば表示装置や役物等の後部を配置するスペースとして有効に活用することが可能となる。
【００２１】
次に副制御基板ボックス１２３を支持するボックス取付台１５１の構造につき、図２、図３、図８〜図１１を参照して説明する。図９はパチンコ機の正面図であり、図１０は図９におけるＸ−Ｘ線断面図、図１１は図１０におけるＸＩ−ＸＩ線断面図である。ボックス支持台１５１は、図２、図３、図８に示すように、本実施の形態では、概ね箱形に形成された合成樹脂品であり、特に図示はしないが、遊技盤１０５の前面側から入賞口を経て遊技盤１０５の裏面側へと流れた入賞球を集めるための球集合通路を備えている。またボックス取付台１５１は、一端部（パチンコ機１００の裏面側から見て右端下部）に図示省略の払出装置から流出される賞球および貸球を上皿１５５（図９参照）へと誘導する払出球誘導通路１５７を備えている。すなわち、ボックス取付台１５１は、球通路構成部材を兼用する構成とされている。なお払出装置は図１に示した本体枠１０３の裏面側におけるパチンコ機１００の裏面側から見て右側縁部に配置され、上皿１５５はガラス枠１０３の前面下部に配置されている。
【００２２】
図３、図１０および図１１に示すように、払出球誘導通路１５７は、ボックス取付台１５１に一体状に形成された矩形の筒体１５９によって構成されている。この筒体１５９は、その後側が遊技盤裏面より後方に所定長さで突出するとともに、後側開口部が本体枠１０３側に設けられる払出装置１６１の球供給口１６１ａに対向されている。また筒体１５９の前側開口部は、遊技盤１０５の下端部を切り欠いて形成された切欠１０５ａ内に位置している。上皿１５５の払出球受口１５５ａは、ガラス枠１０７の裏面側に所定長さで突出されており、当該ガラス枠１０７を本体枠１０３に対して閉じたとき、遊技盤１０５の切欠１０５ａ内に払出球受口１５５ａの後端部が進入し、筒体１５９の前側開口部と繋がる構成とされる。
【００２３】
上述したように、本実施の形態においては、払出装置１６１の球供給口１６１ａと上皿１５５の払出球受口１５５ａ間に払出球誘導通路１５７を設けたものであり、これによって払出装置１６１から排出される賞球および貸球を上皿１５５へと円滑に誘導することができる。そして払出球誘導通路１５７は、例えばパチンコ機１００の設計変更等によって払出装置１６１の球供給口１６１ａから上皿１５５の払出球受口１５５ａまでの距離が変化しても払出球誘導通路１５７の長さを変えることで簡単に対応することができる。
また本実施の形態においては、ボックス取付台１５１に入賞球を集める球集合通路を備える構成に加え、当該ボックス取付台１５１に前後方向に延びる筒体１５９を設けることで払出球誘導通路１５７を形成したので、当該筒体１５９が補強材として機能し、ボックス取付台１５１の剛性をアップすることができる。
【００２４】
次に副制御基板ボックス１２３と主制御基板ボックス１２１間に介在されるシールド板１７１の取付構造につき、図１２および図１３を参照して説明する。図１２はシールド板１７１の取付構造を示す裏面図であり、図１３は図１２のXIII−XIII線断面図である。前述したように、主制御基板ボックス１２１は、副制御基板ボックス１２３の後面に重ね合わせた状態で配置されるとともに、一端側（パチンコ機１００の裏面側から見て左側縁部）がヒンジ機構１２７を介して水平回動自在に取り付けられ、他端側において図示省略の爪部材と係止部材との弾性変形を利用した係止構造によって係脱自在に係止される構成とされる（図２参照）。
【００２５】
上記のような２つの制御基板ボックス１２１，１２３が前後に重ね合わせて配置される構造において、本実施の形態では、制御基板ボックス１２１，１２３内に収容された基板を電磁波から保護するべく両基板ボックス１２１，１２３の合わせ面にシールド板１７１が介在されている。このシールド板１７１は、両ボックス１２１，１２３の合わせ面を覆い得る平面広さを有する金属製の薄板からなり、一端部（パチンコ機１００の裏面側から見て左側縁部）が主制御基板ボックス１２１と共通のヒンジ機構１２７を介して水平回動自在とされている。
【００２６】
すなわち、図１２および図１３に示すように、副制御ボックス１２３に上下２個のヒンジピン１２７ａが同一軸線上に設けられ、これら２個のヒンジピン１２７ａに対し、主制御基板ボックス１２１に設けた上下２個の筒部１２１ａと、シールド板１７１に設けた上下２個の筒部１７１ａが個々に回動自在に取り付けられている。これにより、主制御ボックス１２１を後方へ回動させて副制御基板ボックス１２３から離間させた状態では、シールド板１７１は、主制御基板ボックス１２１および副制御基板ボックス１２３のいずれに対しても回動することができる。このため、主制御基板ボックス１２１の前面および副制御基板ボックス１２３の後面のいずれをも外部から視認することが可能となる。
【００２７】
一般に基板ボックスは、回路基板の不正な改造あるいは交換といった行為を抑制するために、透明な合成樹脂によって形成され、外部からボックス内を透視して回路基板を視認できるようにしている。ところが、主制御基板ボックス１２１と副制御基板ボックス１２３の合わせ面にシールド板１７１を介在する構造において、例えばシールド板１７１を主制御基板ボックス１２１の前面にネジによって止着する構成を採用した場合、主制御基板ボックス１２１内部を前面側から視認する際に、シールド板１７１の取り外しが面倒で時間が掛かることとなる。
【００２８】
本実施の形態においては、上記の如く、シールド板１７１を主制御基板ボックス１２１と副制御基板ボックス１２３の双方に相対回動できるように取り付ける構成を採用したので、上記のような主制御基板ボックス１２１あるいは副制御基板ボックス１２３に対する外部からの観察作業に対し即座に対応することができる。またヒンジ機構１２７を構成するに際し、主制御基板ボックス１２１とシールド板１７１の回動支点を共通化、すなわちヒンジピン１２７ａを共通部品とする構成のため、部品点数が低減し、構造の簡素化に有効となる。
【００２９】
なお上述した実施の形態では、パチンコ機１００について説明したが、本発明はパチンコ機１００に限られるものではなく、例えばアレンジボール機、スロット機、パチンコ球を使用してスロット遊技を行う遊技機等、その他の遊技機であっても適用することが可能である。
またボックス本体１３１を挟んで前後に基板カバー１３３，１３５を配置する構成につき、副制御基板ボックス１２３を例にして説明したが、副制御基板ボックス１２３以外の基板ボックスに適用してもよい。また副制御基板ボックスの露出領域に配置されるダイヤル１２９（図４参照）は、音量調整用に限らない。またシールド板１７１は、後側に配置される主制御基板ボックス１２１に対し分離可能に連接されていればよく、前側の副制御基板ボックス１２３に対しては、直接に連接関係を有しない構成としてもよい。その場合、シールド板１７１は、ヒンジ機構１２７に変わる簡易連接手段として、例えば面ファスナや両面粘着テープ（シートの両面に粘着剤が塗布されたもの）を採用してもよい。またシールド板１７１の適用箇所は、副制御基板ボックス１２３と主制御基板ボックス１２１の合わせ面に限らず、他の基板ボックスの合わせ面でもよい。
【００３０】
また上述した実施の形態において、遊技機１００の裏面側に複数の基板ボックスを配置する場合において、下記の如く構成することが可能である。
「遊技盤を本体枠の前方から当該本体枠の開口部に装着する際に、当該装着動作に基づいて互いに係合することによって前記遊技盤側の電気接点と前記本体枠側の電気接点とを接続する一対のコネクタを備えた遊技機であって、
前記本体枠の裏面における開口部の下部周縁に、第１の制御基板を収容するとともに当該第１の制御基板を外部から視認可能な第１の制御基板ボックスを配置し、
前記遊技盤の裏面における下部領域に、第２の制御基板を収容するとともに当該第２の制御基板を外部から視認可能な第２の制御基板ボックスを配置し、
前記本体枠における前記開口部の下部周縁には前記本体枠側コネクタを配置し、前記本体枠側コネクタと前記第１の制御基板ボックスの端部に設けたコネクタ端子とを電気配線によって接続したことを特徴とする遊技機。」
【００３１】
上記のように、第１の制御基板ボックスを本体枠の裏面における開口部の下部周縁に配置し、第２の制御基板ボックスを遊技盤の下部領域に配置したときは、それら両基板ボックスは互いに近接した状態での配置となる。このため、制御基板に対する不正な改造あるいは交換といった不正を発見するための検査時において、それら両ボックスを一度に視認でき、視認性を向上させることができる。
またコネクタは本体枠の開口部の下部周縁に配置したことにより、第１の制御基板ボックスに対して近接する。このため、コネクタと第１の制御基板ボックスとの接続に用いられる電気配線を短くできる。電気配線は、コネクタと第１の制御基板ボックスとを接続する際、第１の制御基板ボックスおよび第２の制御基板ボックスに被らないように配置することによって制御基板ボックスに関する外部からの視認性を確保できる。その結果、点検作業時において、第１および第２の制御基板につき、外部からの視認による、あるいは照合装置による不正のチェック等を容易に行うことが可能となり、制御基板に関する不正行為を抑止できる。なお「被らないように配置」とは、電気配線が第１制御基板ボックスおよび第２制御基板ボックスのいずれにも掛からない状態をいう。すなわち、制御基板の不正な改造あるいは交換を防止するという観点から、電気配線が第１制御基板ボックスおよび第２制御基板ボックスに被さらず、それらボックスの内部が外部からすっきり見える状態を指す。
【００３２】
さらに、本発明の趣旨により、下記に述べる各種の態様を構成することが可能である。
（態様１）
「回路基板を収容する基板ボックスが裏面側に装着される遊技機において、
前記基板ボックスは、１つのベース部材と、前記ベース部材の一方の面に配置される第１のカバー部材と、前記ベース部材の他方の面に配置される第２のカバー部材とからなり、前記ベース部材と前記第１のカバー部材とで第１の回路基板を収容し、前記ベース部材と第２のカバー部材とで第２の回路基板を収容する構成としたことを特徴とする遊技機。」
【００３３】
態様１に記載の発明によれば、回路基板を収容する基板ボックスが装着される遊技機が構成される。なお遊技機としては、典型的にはパチンコ機やアレンジボール機等がこれに該当する。本発明の遊技機における基板ボックスは、１つのベース部材と、ベース部材の一方の面に配置される第１のカバー部材と、ベース部材の他方の面に配置される第２のカバー部材とからなり、ベース部材と第１のカバー部材とで第１の回路基板を収容し、ベース部材と第２のカバー部材とで第２の回路基板を収容する構成とした。すなわち、当該基板ボックスは、１つのベース部材が、当該ベース部材を挟んで前後に配置される第１のカバー部材と第２のカバー部材に共用される。このため、２つの基板ボックスを単純に前後に重ね合わせて配置する従来の構成に比べて、実質的にベース部材を１つ分減少することが可能となり、その結果、基板ボックスがコンパクト化される。これによって基板ボックスを遊技機の裏面側に装着したときの、前後方向の配置スペースを縮減することができる。
また態様１記載の基板ボックスは、一体性が高まり、基板ボックスを重ね合わせて配置する場合であれば必要なボックス相互間の係止構造が不要となる。また部品点数が少なく、構造も簡単となるため、コストが低減されるとともに、組み付け工数も減少できるといった効果を得ることができる。
【００３４】
（態様２）
「態様１に記載の遊技機であって、
前記基板ボックス内に収容される回路基板は、表示装置，音声装置、ランプ装置の少なくとも２つを制御するための副制御基板と、信号の増幅に用いられるアンプ基板とから構成されるとともに、前記副制御基板と前記アンプ基板が前記ベース部材を挟んで前記第１のカバー部材と第２のカバー部材内に分離して収容されていることを特徴とする遊技機。」
【００３５】
態様２に記載の発明によれば、態様１に記載の遊技機における基板ボックス内に収容される回路基板は、表示装置、音声装置、ランプ装置の少なくとも２つを制御するための副制御基板と、信号の増幅に用いられるアンプ基板とから構成されるとともに、副制御基板とアンプ基板がベース部材を挟んで第１のカバー部材と第２のカバー部材内に分離して収容される構成とされる。態様２の発明によれば、アンプ基板を副制御基板から区分したことにより、機種変更に対する対応性が得られるため、無駄に廃棄することなく再利用することができる。複雑かつ多数の回路より構成されるため必然的に多層構造のプリント基板によって構成される上記の副制御基板と、回路構成が単純で少層のプリント基板でよいアンプ基板とに区分したことによって、当該アンプ基板をも含めた１枚の多層基板によって副制御基板を構成する場合に比べて、トータル的な基板コストの低減を図ることができる。
【００３６】
（態様３）
「態様１に記載の遊技機であって、
前記第１の回路基板と第２の回路基板とを電気的に接続する電線は、前記ベース部材に形成された開口部を通してカバー部材内に配置されていることを特徴とする遊技機。」
【００３７】
態様３に記載の発明によれば、態様１に記載の遊技機における第１の回路基板と第２の回路基板を電気的に接続する電線は、ベース部材に形成された開口部を通してカバー部材内に配置される構成とされる。かかる構成によれば、基板ボックス内において、電線の取り回しを行うことができるとともに、電線がボックス内配置とされるため、電線の保護が図られる。
【００３８】
（態様４）
「態様１〜３のいずれかに記載の遊技機であって、
遊技盤の裏面に対し前記ベース部材を所定の空間を設けた状態で支持するとともに、当該空間における一部の領域に前記第２のカバー部材が配置されていることを特徴とする遊技機。」
【００３９】
態様４に記載の発明によれば、態様１〜３のいずれかに記載の遊技機において、ベース部材を遊技盤の裏面に対し所定の空間を設けた状態で支持するとともに、当該空間における一部の領域に第２のカバー部材が配置される構成とした。かかる構成によると、遊技盤の裏面とベース部材間に形成される空間のうち、第２のカバー部材の配置スペース以外のスペースを別部品、例えば表示装置や役物等の後部を配置するスペースとして有効に活用することができる。
【００４０】
（態様５）
「遊技盤の裏面に複数の基板ボックスが前後に重なり合った状態で装着されている遊技機であって、
前側の基板ボックスと後側の基板ボックスとの間にシールド板が介在され、当該シールド板は、前記前側の基板ボックスまたは前記後側の基板ボックスの少なくとも一方に対しヒンジ構造を介して回動可能に装着されていることを特徴とする遊技機。」
【００４１】
態様５に記載の発明によれば、遊技盤の裏面に複数の基板ボックスが前後に重なり合った状態で装着されている遊技機が構成される。なお遊技機としては、典型的にはパチンコ機やアレンジボール機等がこれに該当する。本発明の遊技機においては、前側の基板ボックスと後側の基板ボックスとの間にシールド板が介在され、当該シールド板は、前側の基板ボックスまたは後側の基板ボックスの少なくとも一方に対しヒンジ構造を介して回動可能に装着された構成とされる。なお本発明における「シールド板」は、電磁波から回路基板を保護するために備えられる金属製の板金をいう。なお「シールド板が回動可能に装着される」態様としては、当該シールド板が後側の基板ボックスと共に回動する態様、当該シールド板が後側の基板ボックスとは別に回動する態様のいずれも好適に包含し、またシールド板が後側の基板ボックスとは別に回動する場合において、後側の基板ボックスと同軸で回動する態様、別軸で回動する態様のいずれも好適に包含する。上記のような構成を採用したときは、例えば回路基板に関する不正の有無を点検するための作業時において、後側の制御基板ボックスを前側の制御基板ボックスから引き離してボックス内を観察し点検する場合、シールド板を前側あるいは後側の基板ボックスに対して回動させてそれら両基板ボックスの合わせ面から簡単に分離することができるため、点検作業の能率アップを図ることが可能になる。
【００４２】
（態様６）
「遊技機の裏面側に複数の基板ボックスが前後に重なり合った状態で装着されている遊技機であって、
前記後側の基板ボックスが前側の基板ボックスにおける一部の後面領域を露出するように配置されており、前側の基板ボックスの露出領域には初期設定用あるいは調整用のダイヤルが配置されていることを特徴とする遊技機。」
【００４３】
態様６に記載の発明によれば、遊技機の裏面側に複数の基板ボックスが前後に重なり合った状態で装着されている遊技機が構成される。なお遊技機としては、典型的にはパチンコ機やアレンジボール機等がこれに該当する。本発明の遊技機では、後側の基板ボックスが前側の基板ボックスにおける一部の後面領域を露出するように配置されており、前側の基板ボックスの露出領域には初期設定用あるいは調整用のダイヤルが配置されている構成とされる。なお「初期設定用あるいは調整用のダイヤル」としては、例えば遊技球発射装置の単位時間当たりの打数設定、表示装置の輝度あるいはランプ装置の照度、更にはスピーカーの音量を設定あるいは調整するときに用いられるダイヤルがこれに該当する。
【００４４】
（態様７）
「遊技盤の裏面に基板ボックスがボックス取付台を介して支持されている遊技機であって、
前記ボックス取付台は、遊技盤の前面側から入賞口を経て遊技盤の裏面側へと流れる入賞球を集める球集合通路と、払出装置から流出される賞球および貸球を上皿へと誘導する払出球誘導通路を備えた通路構成部材によって構成されていることを特徴とする遊技機。」
【００４５】
態様７に記載の発明によれば、遊技盤の裏面に基板ボックスがボックス取付台を介して支持されている遊技機が構成される。なお遊技機としては、典型的にはパチンコ機がこれに該当する。本発明の遊技機では、ボックス取付台は、遊技盤の前面側から入賞口を経て遊技盤の裏面側へと流れる入賞球を集める球集合通路と、払出装置から流出される賞球および貸球を上皿へと誘導する払出球誘導通路を備えた通路構成部材によって構成されている。本発明のボックス取付台は、入賞球を集める球集合通路を備える構成に加え、当該ボックス取付台に払出球誘導通路を形成したので、当該払出球誘導通路を構成する筒体部材が補強材として機能することになり、ボックス取付台の剛性をアップすることができる。また払出球誘導通路は、払出装置の球流出口と上皿の球流入口を連絡する連絡路として機能する。このため、遊技機の設計変更等によって払出装置の球供給口から上皿の払出球受口までの距離が変化しても払出球誘導通路の長さを変えることで簡単に対応することができる。
【図面の簡単な説明】
【００４６】
【図１】パチンコ機の全体を示す斜視図である。
【図２】遊技盤を裏面側から見た斜視図である。
【図３】同じく遊技盤を裏面側から見た斜視図である。
【図４】副制御基板ボックスを遊技盤の裏面側から見た斜視図である。
【図５】副制御基板ボックスを遊技盤の表面側から見た斜視図である。
【図６】副制御基板ボックスの断面図である。
【図７】アンプ基板を示す正面図である。
【図８】遊技盤に取り付けられた状態の副制御基板ボックスを示す縦断面図である。
【図９】パチンコ機の正面図である。
【図１０】図９におけるＸ−Ｘ線断面図である。
【図１１】図１０におけるＸＩ−ＸＩ線断面図である。
【図１２】シールド板の取付構造を示す図である。
【図１３】図１２のXIII−XIII線断面図である。
【符号の説明】
【００４７】
１００  パチンコ機（遊技機）
１０１  外枠
１０３  本体枠
１０５  遊技盤
１０５ａ切欠
１０７  ガラス枠
１０９  前板
１２１  主制御基板ボックス
１２１ａ  筒部
１２３  副制御基板ボックス（基板ボックス）
１２５  ヒンジ機構
１２７  ヒンジ機構
１２７ａ  ヒンジピン
１２９  ダイヤル
１３１  ボックス本体（ベース本体）
１３１ａ  フランジ部
１３１ｂ  段差面
１３１ｃ  開口部
１３３  後側基板カバー（第１のカバー部材）
１３５  前側基板カバー（第２のカバー部材）
１３５ａ  前壁
１３５ｂ  ボス部
１３５ｃ  位置決めピン
１３５ｄ  ネジ
１３５ｅ  ピン孔
１３５ｆ  ネジ通し孔
１３７  副制御基板（第１の回路基板）
１３７ａ  コネクタ接続部
１３９  アンプ基板（第２の回路基板）
１３９ａ  回路部品
１４１  電線
１５１  ボックス取付台
１５５  上皿
１５５ａ  払出球受口
１５７  払出球誘導通路
１５９  筒体
１６１  払出装置
１６１ａ  球供給口
１７１  シールド板
１７１ａ  筒部
【図１】
2005305133.tif 000003
【図２】
2005305133.tif 000004
【図３】
2005305133.tif 000005
【図４】
2005305133.tif 000006
【図５】
2005305133.tif 000007
【図６】
2005305133.tif 000008
【図７】
2005305133.tif 000009
【図８】
2005305133.tif 000010
【図９】
2005305133.tif 000011
【図１０】
2005305133.tif 000012
【図１１】
2005305133.tif 000013
【図１２】
2005305133.tif 000014
【図１３】
2005305133.tif 000015